(57)【要約】【課題】  従来の文献によれば、工場から供給される二酸化炭素を含む空気を、ハウス内において、効率的、かつ的確に、拡散、かつ供給することに関し、どのようなルートと手段（送風機、配管等の装置）を利用し、また、送風機、配管等を、配備するかについての、具体的で、かつ実用的な構造が示されていないとの課題が考えられる。【解決手段】  工場の二酸化炭素を含む空気を受入れる供給管を繋ぐ連結部付き主管を備えたハウスにおいて、主管に枝管を接続し、枝管は、ハウスに植栽した株間の方向に延設配備し、枝管には吐出管を垂下し、ハウスには、二酸化炭素を含む空気を循環させる、送風機を、配備し、吐出管からの二酸化炭素を含む空気を、配備した送風機で、ハウス内に、拡散、かつ株間において、循環可能とするハウスの二酸化炭素を含む空気等を供給、かつ拡散するシステムである。【選択図】      図１
2016005438.tif 000002
【特許請求の範囲】
【請求項１】
工場からの二酸化炭素を含む空気、又は外気、或いは温風空気を、受入れる供給管を繋ぐ連結部を備えた主管を、一本〜複数本備えたハウスにおいて、
この主管に、一本〜複数本の枝管を接続し、この枝管は、前記ハウスに植栽した株間の方向に延設配備するか、又は妻面に延設配備するとともに、該枝管には、一本〜複数本の吐出管を垂下する構成とし、
前記ハウスには、前記二酸化炭素を含む空気、又は外気、或いは温風空気を循環させる、一基〜数基の送風機を、配備し、
前記吐出管からの前記二酸化炭素を含む空気、又は外気、或いは温風空気を、配備した前記送風機により、当該ハウス内に、拡散、かつ前記株間において、循環可能とする構成としたハウスの二酸化炭素を含む空気、又は外気、或いは温風空気を供給、かつ拡散するシステム。
【請求項２】
工場からの二酸化炭素を含む空気、又は外気、或いは温風空気を、受入れる供給管を繋ぐ連結部を備えた主管を、一本〜複数本備えたハウスにおいて、
この主管に、一本〜複数本の枝管を接続し、この枝管に、前記ハウスの棚下の一本〜複数本のダクトに接続し、このダクトは、前記ハウスに植栽した株間の方向に延設配備するとともに、該ダクトには、一本〜複数本の吐出口を開設する構成とし、
前記吐出口からの前記二酸化炭素を含む空気、又は外気、或いは温風空気を、該ハウスの株間に、拡散、かつこの株間の拡散で、このハウス内に拡散可能とする構成としたハウスの二酸化炭素を含む空気、又は外気、或いは温風空気を供給、かつ拡散するシステム。
【請求項３】
前記連結部を備えた一本〜複数本の主管を、前記ハウスに内設するか、又はハウスに外設するように配備する構成とした請求項１、又は請求項２に記載のハウスの二酸化炭素を含む空気、又は外気、或いは温風空気を供給、かつ拡散するシステム。
【請求項４】
前記配備した送風機は、株間に往復方向に、循環するように、複数基を、同じ方向に向かって配備する構成とした請求項１に記載のハウスの二酸化炭素を含む空気、又は外気、或いは温風空気を供給、かつ拡散するシステム。
【請求項５】
前記配備した送風機は、前記吐出管の開口と、略同じ、空間位置に配備する構成とした請求項１に記載のハウスの二酸化炭素を含む空気、又は外気、或いは温風空気を供給、かつ拡散するシステム。
【請求項６】
前記主管を、妻面方向に配備し、この主管に、前記枝管を配備し、この枝管に配備した前記吐出管を、この妻面に垂下するとともに、当該妻面に垂下した当該吐出管の下方に、往路の一基の送風機を、配備する構成とした請求項１に記載のハウスの二酸化炭素を含む空気、又は外気、或いは温風空気を供給、かつ拡散するシステム。
【請求項７】
前記二酸化炭素は、その濃度、及び／又は、温湿度調整された後に、前記主管に供給される構成とした請求項１に記載のハウスの二酸化炭素を含む空気、又は外気、或いは温風空気を供給、かつ拡散するシステム。
【発明の詳細な説明】
【技術分野】
【０００１】
本発明は、ハウスの二酸化炭素を含む空気、又は外気、或いは温風空気を供給、かつ拡散するシステムに関する。
【背景技術】
【０００２】
従来の大型ハウスにおける二酸化炭素を含む空気、又は外気、或いは温風空気を供給、かつ拡散するシステムとして、次のような、特許文献が挙げられる。
【０００３】
文献（１）は、特開２００９−１５３４５９号公報に記載の発明であり、ハウス内に二酸化炭素発生器（発生機）と送風機とを配備し、両機に備えたダクトを利用し、作物の根元に、二酸化炭素と温風空気とを供給するシステムである。二酸化炭素と温風空気とを、同時に供給できる利点を有するが、個別に、必要とする際は、問題を残している。
【０００４】
文献（２）は、特開２０１３−７４８８７号公報に記載の発明であり、燃焼ガス中に含まれる、植物栽培に必要とする要素、例えば、二酸化炭素、窒素酸化物等の濃度、及び／又は、量をコントロールするとともに、残量等を貯溜槽に貯え、不必要な二酸化炭素、窒素酸化物等を、濃度調整して、空気中に排出する装置である。燃焼ガスに含まれる二酸化炭素、窒素酸化物等を有効利用することは有益である。しかし、装置の複雑化と、設置に費用及び場所等を要する等の改良点が考えられる。
【０００５】
文献（３）は、特開２０１２−１６３２２号公報に記載の発明であり、前記文献（２）の基本構造であり、二酸化炭素のみの有効利用を図る装置である。燃焼ガスに含まれる二酸化炭素を有効利用することは有益である。しかし、ハウス内において拡散、かつ供給することに関し、どのようなルートと手段（送風と配管等の装置）を利用するかは、十分に開示されているとは考えられない。
【０００６】
【特許文献１】特開２００９−１５３４５９号公報
【特許文献２】特開２０１３−７４８８７号公報
【特許文献３】特開２０１２−１６３２２号公報
【発明の概要】
【発明が解決しようとする課題】
【０００７】
文献（１）〜文献（３）は、それぞれの特性と、有益性を有する。しかしながら、工場から供給される二酸化炭素を含む空気を、ハウス内において、効率的、かつ的確に、拡散、かつ供給することに関し、どのようなルートと手段（送風機、配管等の装置）を利用し、また、これらの送風機、配管等を、配備するかについての、具体的で、かつ実用的な構造が示されていないと、思われる。
【課題を解決するための手段】
【０００８】
上記に鑑み、本発明は、工場から供給される二酸化炭素を含む空気、又は外気、或いは温風空気を、ハウス内において、効率的、かつ的確に、拡散、かつ供給することと、また、そのために使用する、ルートと手段（送風機、配管等の装置）を開示し、かつこれらの送風機、配管等を、配備を如何にするかの具体例と、経済性を備えた実用的な構造を開示すること、等にある。
【０００９】
そのために、請求項１〜請求項７を提案する。
【発明の効果】
【００１０】
請求項１の発明では、工場からの二酸化炭素を含む空気を受入れる供給管を繋ぐ連結部を備えた主管を、一本〜複数本備えたハウスにおいて、
主管に、一本〜複数本の枝管を接続し、枝管は、ハウスに植栽した株間の方向に延設配備するか、又は妻面に延設配備とともに、枝管には、一本〜複数本の吐出管を垂下する構成とし、
ハウスには、二酸化炭素を含む空気を循環させる、一基〜数基の送風機を、配備し、
吐出管からの二酸化炭素を含む空気を、配備した送風機により、ハウス内に、拡散、かつ株間において、循環可能とするハウスの二酸化炭素を含む空気、又は外気、或いは温風空気を供給、かつ拡散するシステムであり、工場から供給される二酸化炭素を含む空気、又は外気、或いは温風空気を、ハウス内において、効率的、かつ的確に、拡散、かつ供給できることと、また、そのために使用する、ルートと手段（送風機、配管等の装置）を開示し、かつこれらの送風機、配管等を、配備を如何にするかの具体例と、経済性を備えた実用的な構造のハウスの二酸化炭素を含む空気、又は外気、或いは温風空気を供給、かつ拡散するシステムを提供できる。
【００１１】
請求項２の発明は、工場からの二酸化炭素を含む空気、又は外気、或いは温風空気を、受入れる供給管を繋ぐ連結部を備えた主管を、一本〜複数本備えたハウスにおいて、
主管に、一本〜複数本の枝管を接続し、枝管に、ハウスの棚下の一本〜複数本のダクトに接続し、ダクトは、ハウスに植栽した株間の方向に延設配備するとともに、ダクトには、一本〜複数本の吐出口を開設する構成とし、
吐出口からの二酸化炭素を含む空気、又は外気、或いは温風空気を、ハウスの株間に、拡散、かつ株間の拡散で、ハウス内に拡散可能とするハウスの二酸化炭素を含む空気、又は外気、或いは温風空気を供給、かつ拡散するシステムであり、工場から供給される二酸化炭素を含む空気、又は外気、或いは温風空気を、ハウスの株間において、効率的、かつ的確に、拡散、かつ供給できることと、また、そのために使用する、ルートと手段（ダクト、配管等の装置）を開示し、かつこれらのダクト、配管等を、配備を如何にするかの具体例と、経済性を備えた実用的な構造のハウスの二酸化炭素を含む空気、又は外気、或いは温風空気を供給、かつ拡散するシステムを提供できる。
【００１２】
請求項３の発明では、連結部を備えた一本〜複数本の主管を、ハウスに内設するか、又はハウスに外設するように配備するハウスの二酸化炭素供給、かつ拡散システムであり、請求項１、又は請求項２の目的達成と、この目的達成に、最適、かつ経済的で、しかも実用的な、配管の配置と、二酸化炭素を含む空気、又は外気、或いは温風空気を供給、かつ拡散するシステムとを提供できる。
【００１３】
請求項４の発明では、配備した送風機は、株間に往復方向に、循環するように、複数基を、同じ方向に向かって配備するハウスの二酸化炭素供給、かつ拡散システムであり、請求項１の目的達成と、この目的達成に、最適、かつ経済的で、しかも実用的な、送風機の配置と、二酸化炭素を含む空気、又は外気、或いは温風空気を供給、かつ拡散するシステムを提供できる。
【００１４】
請求項５の発明では、配備した送風機は、吐出管の開口と、略同じ、空間位置に配備するハウスの二酸化炭素供給、かつ拡散システムであり、請求項１の目的達成と、この目的達成に、最適、かつ経済的で、しかも実用的な、送風機の配置位置と、二酸化炭素を含む空気、又は外気、或いは温風空気を供給、かつ拡散するシステムを提供できる。
【００１５】
請求項６の発明では、主管を、妻面方向に配備し、主管に、枝管を配備し、枝管に配備した吐出管を、妻面に垂下するとともに、妻面に垂下した吐出管の下方に、往路の一基の送風機を、配備するハウスの二酸化炭素供給、かつ拡散システムであり、請求項１の目的達成と、この目的達成に、最適、かつ経済的で、しかも実用的な、枝管、及び／又は、吐出管の配置と、二酸化炭素を含む空気、又は外気、或いは温風空気を供給、かつ拡散するシステムを提供できる。
【００１６】
請求項７の発明では、二酸化炭素は、その濃度、及び／又は、温湿度調整された後に、主管に供給されるハウスの二酸化炭素を含む空気、又は外気、或いは温風空気を供給、かつ拡散するシステムであり、請求項１の目的達成と、この目的達成に、最適な、二酸化炭素の濃度、及び／又は、温湿度調整を可能とした構造である。
【図面の簡単な説明】
【００１７】
【図１】第１実施例であり、供給管を繋ぐ，主管の連結部を、ハウス内に配備した二酸化炭素を含む空気、又は外気、或いは温風空気を供給、かつ拡散するシステムの平面概念図
【図２】図１の正面概念図
【図３】第２実施例であり、供給管を繋ぐ，主管の連結部を、ハウス外に配備した二酸化炭素を含む空気、又は外気、或いは温風空気を供給、かつ拡散するシステムの平面概念図
【図４】図３の正面概念図
【図５】第３実施例であり、棚栽培植物の植栽とハウスの一部との関係を示した正面模式図
【図６】図３の正面概念図
【図７】送風機の一例を示した一部欠截の拡大側面図
【発明を実施するための形態】
【００１８】
図１と、図２に示した第１実施例は、図示しない、工場から二酸化炭素を含む空気とか、図示しないが、二酸化炭素発生機から二酸化炭素を含む空気、その他、外気、又は、暖房機からの温風、他の機器からの暖気等の空気（温風空気とする）が流れる供給管１（配管）を繋ぐ，一本〜複数本（他の管も同じ、省略）の主管２（配管）の連結部２００を、ハウスＡ内の上部、又は下部に配備した構造（他の管も同じ、省略）であり、この主管２は、ハウスＡの妻面Ａ１に沿って張装されている。また、枝管３（配管）は株間Ｂの方向に配備する。主管２、及び／又は、枝管３には、適宜間隔で吐出管５を垂下する。各吐出管５にはバルブ５−１を付設し、必要とする箇所に、二酸化炭素を供給する。また、株間に供給する。尚、図示しないが、枝管３は棚下に配備することもあり得る。尚、図示しないが、供給管１には、前記外気、或いは温風空気を供給するための配管を接続することもできる。ハウスＡ内に、二酸化炭素を含む空気とか、外気、或いは温風空気を供給し、ハウスＡに空気の流れを生成することで、例えば、植物の生長点等に対して、適度の空気の流れを確保し、植物の耐性の刺激と、成長の促進、糖度アップ等の品質向上と、細菌対抗性の向上と、収穫量等の向上とに寄与できる。
【００１９】
吐出管５は、少なくとも、妻面Ａ１か、その近傍に設けた枝管３に垂下し、この吐出管５の直下か、その近傍に、一基〜数基の第１送風機６を付設する。この第１送風機６に続いて、植栽株方向Ｘの往路Ｘ１には、同じ方向を向く、第２送風機６〜第３送風機６等を設ける。更に、植栽株方向Ｘの復路Ｘ２には、同じ方向を向く、第４送風機６〜第ｎ送風機６等を設ける。この第１送風機６〜第ｎ送風機６は、例えば、梁Ａ２、その他の支持材、屋根等に支持する。従って、各吐出管５（以下、単に、吐出管５とする。他の部材も同じ）からの二酸化炭素を含む空気、外気、或いは温風空気を、第１送風機６の吹出口（後述する）を介して往路Ｘ１の方向に、次の第２送風機６の吸込口（後述する）に、確実、かつスムーズに供給することで、この往路Ｘ１の空気の一方流れ（送り）Ｙ１が達成される。そして、復路Ｘ２に到ると、第４送風機６が、吸込口が、往路Ｘ１とは逆向きとなり、空気の流れが、他方流れ（送り）Ｙ２が達成される。このように、それぞれの株間Ｂにおいて、空気の流れが、循環する構造である。
【００２０】
また、図５に示したように、棚Ｚ下等に配備したダクト７の細孔７００と、並びに細孔７００の方向性を利用し、植物Ｃの根元から、順次、各段の葉面、及び／又は、各生長点Ｃ１、又は各生長点近傍に向かって、集中的に、それぞれ二酸化炭素を含む空気、外気、或いは温風空気を送る。これにより、例えば、成長促進を図り、また、葉面の気孔の正常化と、葉面近傍の空気の流れを確保し、葉面のムレを無くすこと、等により植物成長に快適環境を確保する。また、徒長が少なく、かつ節間の短い、丈夫で健康的な作物生成を図る。さらに、光合成の促進を図り、農作物の増産と経済性の確保を図りつつ、しかも燃費の節約が図れる。
【００２１】
図５と、図６に示した第３実施例は、図示しない、工場から二酸化炭素を含む空気とか、図示しないが、二酸化炭素発生機から二酸化炭素を含む空気、その他、外気、又は、暖房機からの温風、他の機器からの暖気等の空気（温風空気とする）が流れる供給管１（配管）を繋ぐ，一本〜複数本（他の管も同じ、省略）の主管２（配管）の連結部２００を、ハウスＡ内の上部、又は下部に配備した構造（他の管も同じ、省略）であり、この主管２は、ハウスＡの妻面Ａ１に沿って張装されている。場合により、主管２には、枝管３（配管）を接続する。主管２か枝管３には、細径のダクト７を接続するとともに、このダクト７を、棚Ｚ下に配備する。そして、ダクト７の細孔７００の方向性を利用し、植物Ｃの根元から、順次、各段の葉面、及び／又は、各生長点Ｃ１、又は各生長点近傍に向かって、集中的に、それぞれ二酸化炭素を含む空気、外気、或いは温風空気を送る。これにより、例えば、成長促進を図り、また、葉面の気孔の正常化と、葉面近傍の空気の流れを確保し、葉面のムレを無くすこと、等により植物成長に快適環境を確保する。また、徒長が少なく、かつ節間の短い、丈夫で健康的な作物生成を図る。さらに、光合成の促進を図り、農作物の増産と経済性の確保を図りつつ、しかも燃費の節約が図れる。
【００２２】
図７に示した、第１送風機６〜第ｎ送風機６は、風胴６００と、この風胴６００に間隔をおいて設けたガード６０１と、風胴６００の上部に設けたファン６０２と、図示しないファン６０２駆動用モータと、風胴６００とガード６０１とを繋ぐ部材６０３とで構成されており、ファン６０２の回転で、風胴６００の吸込口６００ａより、内部６００ｂに空気を導入し、吐出口６００ｃより第１送風機６外に排気する。例えば、風胴６００に導入された工場からの二酸化炭素を含む空気（又は、外気に含む空気か、或いは、図示しないが、二酸化炭素発生機による二酸化炭素を含む空気）、又は、図示しないが、外気、或いは、図示しないが、温風空気等の空気を、吐出口６００ｃより、ハウスＡ内に供給し、図示しない、植物の生長点に向かって、それぞれ供給する。即ち、ハウスＡの株間Ｂにおいて、二酸化炭素を含む空気、又は、外気、或いは、温風空気等の空気の流れとなる。植物の生長点等に対して、適度の空気の流れを確保し、植物の耐性の刺激と、成長の促進、糖度アップ等の品質向上と、細菌対抗性の向上と、収穫量等の向上とに寄与できる。
【００２３】
実施例において、第１送風機６〜第ｎ送風機６は、株方向Ｘにおいて、同じ水平線上に、順列配備した、理由は、二酸化炭素の速やかな拡散と、均等な拡散を図ることにある。しかし、この実施例に、限定されない。例えば、第１送風機６〜第ｎ送風機６は、株方向Ｘ、及び／又は、妻面方向Ｑにおいて、上下の偏倚位置に設けること、或いは吹出方向が、それぞれ異なるようにすること、可動状態が区々にすること、等の如く、ランダム配備も可能である。何れにしても、第１送風機６〜第ｎ送風機６は、送風方向、送風時間等に関係を持って配備された構造であれば、本発明の目的を達成できる。
【００２４】
以上で説明した各実施例は、好ましい一例を示したものであり、同様な効果と特徴を有する他の構造、手段は、本発明の範疇である。
【符号の説明】
【００２５】
１  供給管
２  主管
３  枝管
５  吐出管
５−１  バルブ
６  送風機
６００  風胴
６００ａ  吸込口
６００ｂ  内部
６００ｃ  吐出口
６０１  ガード
６０２  ファン
６０３  部材
７  ダクト
７００  細孔
Ａ  ハウス
Ａ１  妻面
Ａ２  梁
Ｂ  株間
Ｃ  植物
Ｃ１  生長点
Ｘ  株方向
Ｘ１  往路
Ｘ２  復路
Ｙ１  一方流れ
Ｙ２  他方流れ
Ｚ  棚
Ｑ  妻面方向
【図１】
2016005438.tif 000003
【図２】
2016005438.tif 000004
【図３】
2016005438.tif 000005
【図４】
2016005438.tif 000006
【図５】
2016005438.tif 000007
【図６】
2016005438.tif 000008
【図７】
2016005438.tif 000009